(57)【要約】【課題】  不在着信または／及び未読メールの受信等、携帯端末装置の装置状態に関する報知機能の利便性を向上させる。【解決手段】  所定の報知手段によって外部に自らの装置状態を報知する携帯端末装置であって、外部から加えられた振動を検出する振動検出手段と、該振動検出手段の検出結果に基づいて特定パターンの振動が加えられたことを判定すると、当該特定パターンに応答して報知手段を作動させて外部に装置状態を報知させる制御手段とを具備する。【選択図】      図１
2006238141.tif 000002
【特許請求の範囲】
【請求項１】
所定の報知手段によって外部に自らの装置状態を報知する携帯端末装置であって、
外部から加えられた振動を検出する振動検出手段と、
該振動検出手段の検出結果に基づいて特定パターンの振動が加えられたことを判定すると、当該特定パターンに応答して報知手段を作動させて外部に装置状態を報知させる制御手段と
を具備することを特徴とする携帯端末装置。
【請求項２】
特定パターンの種類に応じた装置状態を報知することを特徴とする請求項1記載の携帯端末装置。
【請求項３】
装置状態の報知を所定時間経過後に繰り返すことを特徴とする請求項１または２記載の携帯端末装置。
【請求項４】
報知手段は、バイブレータであり、振動時間が長い長振動と振動時間が中くらいの中振動と振動時間が短い短振動の組み合わせからなる振動パターンによって装置状態を報知することを特徴とする請求項１〜３いずれかに記載の携帯端末装置。
【請求項５】
装置状態を示す振動の前に報知開始を示す振動を、また装置状態を示す振動の後に報知終了を示す振動を付加することを特徴とする請求項４記載の携帯端末装置。
【請求項６】
装置状態は、未読メール数、不在着信数あるいは現在時刻であることを特徴とする請求項1〜５いずれかに記載の携帯端末装置。
【請求項７】
振動検出手段は加速度センサであることを特徴とする請求項1〜６いずれかに記載の携帯端末装置。
【請求項８】
外部から特定パターンの振動が加えられると、当該特定パターンに応答して外部に装置状態を報知することを特徴とする携帯端末装置の状態報知方法。
【発明の詳細な説明】
【技術分野】
【０００１】
本発明は、携帯端末装置及びその状態報知方法に関する。
【背景技術】
【０００２】
例えば特開２００２−３１９９９６号公報には、スピーカ、バイブレータあるいは着信ＬＥＤを作動させることによって不在着信または未読メールの存在を所持者に報知する携帯端末が開示されている。この携帯端末では、不在着信または未読メールの受信があるとタイマによる計時を開始することにより一定時間経過後にスピーカ、バイブレータあるいは着信ＬＥＤを作動させて、不在着信または未読メールの受信を所持者に報知する。
【特許文献１】特開２００２−３１９９９６号公報
【発明の開示】
【発明が解決しようとする課題】
【０００３】
ところで、上記従来技術においては、不在着信または未読メールの受信が所持者に自動的に報知されるが、このような報知機能は所持者の状況を配慮したものではない。すなわち、上記報知機能では、所持者が報知を受け付けることができない状況にある場合であっても、スピーカ、バイブレータあるいは着信ＬＥＤが勝手に作動するので、このような報知機能は必ずしも利便性に優れたものではない。
また、着信ＬＥＤによる報知の場合、所持者が携帯端末を目視する必要があるので、例えば携帯端末がカバンやポケット等の中に収納されている場合には携帯端末を取り出す必要があり、よってこの点においても利便性が悪い。
【０００４】
本発明は、このような事情に鑑みてなされたものであり、以下の点を目的とするものである。
（１）不在着信または／及び未読メールの受信等、携帯端末装置の装置状態に関する報知機能の利便性を向上させる。
（２）上記装置状態に関する報知を所持者の要求に応じて行う。
（３）上記装置状態に関する報知要求を携帯端末装置を直接操作することなく携帯端末装置に入力する。
（４）上記装置状態について従来よりも詳しい情報を所持者に報知する。
【課題を解決するための手段】
【０００５】
上記目的を達成するために、本発明では、携帯端末装置に係る第1の解決手段として、所定の報知手段によって外部に自らの装置状態を報知する携帯端末装置において、外部から加えられた振動を検出する振動検出手段と、該振動検出手段の検出結果に基づいて特定パターンの振動が加えられたことを判定すると、当該特定パターンに応答して報知手段を作動させて外部に装置状態を報知させる制御手段とを具備する、という解決手段を採用する。
また、携帯端末装置に係る第２の解決手段として、上記第1の解決手段において、特定パターンの種類に応じた装置状態を報知する、という解決手段を採用する。
携帯端末装置に係る第３の解決手段として、上記第1または第２の解決手段において、装置状態の報知を所定時間経過後に繰り返す、という解決手段を採用する。
携帯端末装置に係る第４の解決手段として、上記第1〜第３いずれかの解決手段において、報知手段は、バイブレータであり、振動時間が長い長振動と振動時間が中くらいの中振動と振動時間が短い短振動の組み合わせからなる振動パターンによって装置状態を報知する、という解決手段を採用する。
携帯端末装置に係る第５の解決手段として、上記第４の解決手段において、装置状態を示す振動の前に報知開始を示す振動を、また装置状態を示す振動の後に報知終了を示す振動を付加する、という解決手段を採用する。
携帯端末装置に係る第６の解決手段として、上記第1〜第５いずれかの解決手段において、装置状態は、未読メール数、不在着信数あるいは現在時刻である、という解決手段を採用する。
携帯端末装置に係る第７の解決手段として、上記第1〜第６いずれかの解決手段において、振動検出手段は加速度センサである、という解決手段を採用する。
一方、本発明では、携帯端末装置の状態報知方法に係る解決手段として、外部から特定パターンの振動が加えられると、当該特定パターンに応答して外部に装置状態を報知する、という解決手段を採用する。
【発明の効果】
【０００６】
本発明によれば、携帯端末装置の所持者によって特定パターンの振動が加えられると、携帯端末装置は当該特定パターンに応答して外部に装置状態を報知するので、所持者の要求、つまり所持者が特定パターンで携帯端末装置に振動を加えるという行為に応じて装置状態を所持者に報知することが可能であり、よって携帯端末装置の装置状態に関する報知機能の利便性を向上させることができる。
また、所持者が特定パターンで携帯端末装置に振動を加えることにより装置状態の報知要求が携帯端末装置に入力されるので、所持者は、携帯端末装置を直接操作することなく装置状態の報知要求を携帯端末装置に入力することができる。
【発明を実施するための最良の形態】
【０００７】
以下、図面を参照して、本発明の一実施形態について説明する。
図1は、本実施形態に係る携帯電話ＴＥの要部機能構成を示すブロック図である。本携帯電話ＴＥは、図示するように加速度センサ１、記憶部２、通信部３、メール送受信部４、ＣＰＵ５、振動パターン生成部６及びバイブレータ７を構成要件として含むものである。
【０００８】
加速度センサ１は、携帯電話ＴＥに外部から加えられた振動を検出する振動検出手段であり、検出信号をＣＰＵ５に出力する。記憶部２は、ＣＰＵ５から入力されたメール情報、通話履歴及び現在時刻等をデータとして記憶すると共に、これらデータをＣＰＵ５の要求に応じて読み出してＣＰＵ５に出力する。上記メール情報には未読メール数が含まれ、また通話履歴には不在着信数が含まれている。通信部３は、地上の基地局との間で電波を介して通話音声やメールの伝送を行うものである。メール送受信部４は、ＣＰＵ５による制御の下に基地局との間におけるメールの送信及び受信を通信部３を介して行うものである。
【０００９】
ＣＰＵ５は、本携帯電話ＴＥの全体動作を所定の制御プログラムに基づいて制御するものである。この制御プログラムに基づくＣＰＵ５の制御処理には、上記メール送受信部４が送受信したメールに関する情報（メール情報）、通信部３における音声通話に関する履歴情報（通話履歴）及び現在時刻等を上記記憶部２に順次記憶させる処理、及び加速度センサ１の検出信号を評価し、その評価結果に応じて振動パターン生成部６を作動させる処理が含まれている。
【００１０】
振動パターン生成部６は、このようなＣＰＵ５の制御の下にバイブレータ７を駆動するための駆動信号を生成するものである。バイブレータ７は、この駆動信号に基づいて作動することにより本携帯電話ＴＥをバイブレーション（振動）させる報知手段である。なお、上記記憶部２、ＣＰＵ５及び振動パターン生成部６は、本携帯電話ＴＥにおける制御手段を構成している。
【００１１】
次に、このように機能構成された本携帯電話ＴＥの動作について、図２〜４を参照して詳しく説明する。
【００１２】
最初に、図２は、本携帯電話ＴＥの要部動作を示すフローチャートである。本携帯電話ＴＥでは、加速度センサ１は筐体に所持者によって加えられる振動を検出し、その検出信号をＣＰＵ５に出力する（ステップＳ1）。これに対して、ＣＰＵ５は、所定のタイミングで検出信号を参照・評価することにより筐体に特定パターンの振動が加えられたか否かを判定する（ステップＳ2）。そして、ＣＰＵ５は、このステップＳ2における判定が「ＹＥＳ」の場合は、特定パターンの振動の種類を判定し（ステップＳ3）、その判定結果に応じて以下のステップＳ4，Ｓ6，Ｓ8の何れかの処理を実行する。なお、ステップＳ2における判定が「ＮＯ」の場合には、次のタイミングで検出信号を参照・評価する。
【００１３】
ここで、上記特定パターン及びその種類について説明する。この特定パターンの種類には、メールについて割り当てられたパターンＡと、通話着信について割り当てられたパターンＢと、時刻について割り当てられたパターンＣとがある。これらパターンＡ〜Ｃは各々異なった振動パターンであり、例えばパターンＡはノック状に２回連続する振動、パターンＢはノック状に３回連続する振動、またパターンＣはノック状に４回連続する振動である。
【００１４】
例えばカバンやポケットに収納された本携帯電話ＴＥに対して、本携帯電話ＴＥの所持者がカバンを２回連続してノックすることにより本携帯電話ＴＥに振動を加えると、加速度センサ１は、この２回連続するノック状振動に対応した検出信号をＣＰＵ５に出力する。そして、ＣＰＵ５は、この検出信号を評価することにより特定パターンの種類、つまりパターンＡの振動が本携帯電話ＴＥに加えられたことを判定する。同様にして、ＣＰＵ５は、所持者がカバンやポケットを３回連続してノックするとパターンＢの振動が加えられたと判定し、所持者がカバンやポケットを４回連続してノックするとパターンＣの振動が加えられたと判定する。
【００１５】
ＣＰＵ５は、ステップＳ3において例えばパターンＡを判定すると、記憶部２のメール情報を検索することにより未読メール数を取得する（ステップＳ4）。そして、ＣＰＵ５は、この未読メール数を振動パターン生成部６に出力することにより当該未読メール数を所持者に報知させる（ステップＳ5）。一方、ＣＰＵ５は、ステップＳ3においてパターンＢを判定した場合は、記憶部２の通話履歴を検索することにより不在着信数を取得し（ステップＳ6）、この不在着信数を振動パターン生成部６に出力することにより当該不在着信数を所持者に報知させる（ステップＳ7）。また一方、ＣＰＵ５は、ステップＳ3においてパターンＣを判定した場合には、記憶部２の現在時刻を取得し（ステップＳ8）、この現在時刻を振動パターン生成部６に出力することにより当該現在時刻を所持者に報知させる（ステップＳ9）。
【００１６】
図３は、上記ステップＳ5の詳細、すなわちＣＰＵ５からの未読メール数の入力に対する振動パターン生成部６の処理を示すフローチャートである。振動パターン生成部６は、未読メール数をＣＰＵ５から取得すると（ステップＳ5a）、当該未読メール数が１０件以上であるか否かを判定する（ステップＳ5b）。そして、この判定が「ＹＥＳ」の場合、振動パターン生成部６は、振動時間が最も長い長振動をバイブレータ７の振動パターンとして設定すると共に、上記未読メール数から１０を減算し（ステップＳ5c）、ステップＳ5bの判定処理を再度実行する。
【００１７】
このようなステップＳ5b，Ｓ5cの繰り返し処理によって長振動の個数が設定されると共に未読メール数から１０以上の数が減算される。振動パターン生成部６がＣＰＵ５から取得した未読メール数が例えば「１７」であった場合、上記ステップＳ5b，Ｓ5cの繰り返し処理によって長振動の個数が「１」に設定されると共に、未読メール数から１０が減算され、その結果としての未読メール数は「７」となる。
【００１８】
振動パターン生成部６は、このステップＳ5b，Ｓ5cの繰り返し処理の結果得られた未読メール数について、５件以上であるか否かを判定し（ステップＳ5d）、この判定が「ＹＥＳ」の場合、振動時間が中くらいの中振動をバイブレータ７の振動パターンとして設定すると共に、未読メール数から５を減算し（ステップＳ5e）、さらにステップＳ5dの判定処理を再度実行する。この結果、中振動の個数が設定されると共に未読メール数から５以上の数が減算される。
【００１９】
上述したように振動パターン生成部６が取得した未読メール数が「１７」の場合、ステップＳ5dでは「７」件の未読メール数について５件以上であるか否かが判定されるので、当該ステップＳ5d，Ｓ5eの繰り返し処理の結果、中振動の個数が「１」に設定されると共に、未読メール数「７」から５が減算されて「２」となる。
【００２０】
さらに、振動パターン生成部６は、上記ステップＳ5d，Ｓ5eの繰り返し処理の結果得られた未読メール数について、１件以上であるか否かを判定し（ステップＳ5f）、この判定が「ＹＥＳ」の場合には、振動時間が最も短い短振動をバイブレータ７の振動パターンとして設定すると共に、未読メール数から１を減算し（ステップＳ5g）、さらにステップＳ5fの判定処理を再度実行する。この結果、短振動の個数が設定される。
【００２１】
上述したように振動パターン生成部６が取得した未読メール数が「１７」の場合には、ステップＳ5fでは「２」件の未読メール数について１件以上であるか否かが判定されるので、ステップＳ5f，Ｓ5gの繰り返し処理の結果、短振動の個数は「２」に設定される。
【００２２】
このようなステップＳ5a〜Ｓ5gの一連処理の結果、振動パターン生成部６は、長振動と中振動と短振動との組み合わせからなるバイブレータ７の振動パターンを設定し、当該振動パターンでバイブレータ７を振動させるための駆動信号を生成してバイブレータ７に出力する。この結果、バイブレータ７は、このような駆動信号に基づいて振動パターン生成部６が設定した振動パターンで振動する（ステップＳ5h）。なお、このようなステップＳ5a〜Ｓ5gの一連処理によれば、振動パターン生成部６が取得した未読メール数が「０」の場合、長振動、中振動及び短振動の何れも振動パターンとして設定されないので、バイブレータ７は振動しないことにより未読メール数が「０」であることを報知する。なお、この場合には、例えば特定の開始振動と終了振動とを連続して振動させることによって未読メール数が「０」であることを報知しても良い。
【００２３】
図４は、振動パターン生成部６が取得した未読メール数が「１７」の場合に対応する振動パターンを示す模式図である。この場合、バイブレータ７は、各々１つの長振動と中振動及び２つの短振動からなる振動パターンで振動することにより、未読メール数が「１７（＝１０＋５＋２）」であることを本携帯電話ＴＥの所持者に対して報知する。なお、このような報知方法は、上述した不在着信数の報知（ステップＳ7）及び現在時刻の報知（ステップＳ9）の場合も同様である。なお、現在時刻を報知する場合には、「時間」と「分」とを図４で示す振動パターンを用いて報知し、「時間」と「分」との識別を特定の開始振動の回数と終了振動の回数との組み合わせによって報知するようにしても良い。
【００２４】
このような本実施形態によれば、以下のような効果を奏することができる。
（１）特定パターンの振動を加えるという所持者の行為、つまり所持者の要求に起因して未読メール数、不在着信数あるいは／及び現在時刻がバイブレータ７の振動パターンとして報知されるので、所持者が置かれている状況を反映して未読メール数、不在着信数あるいは／及び現在時刻を報知することが可能である。すなわち、所持者は自らが置かれている状況に応じて自らが欲したタイミングで特定パターンの振動を本携帯電話ＴＥに加えることにより未読メール数、不在着信数あるいは／及び現在時刻を把握することが可能であり、よって従来よりも利便性を向上させることができる。
【００２５】
（２）所持者が特定パターンで本携帯電話ＴＥに振動を加えることにより未読メール数、不在着信数あるいは／及び現在時刻の報知要求が本携帯電話ＴＥに入力されるので、所持者は、操作キーによって本携帯電話ＴＥを直接操作することなく報知要求を本携帯電話ＴＥに入力することができる。すなわち、本携帯電話ＴＥがカバンやポケット等に収納されていた場合に、本携帯電話ＴＥをカバンやポケット等からわざわざ取り出す必要なく未読メール数、不在着信数あるいは／及び現在時刻の報知要求を本携帯電話ＴＥに入力することができる。この点においても、従来よりも利便性を向上させることができる。
【００２６】
（３）メール、通話着信及び時刻についてパターンＡ〜Ｃを特定パターンとしてそれぞれ割り当てているので、所持者は、自らの必要に応じてパターンＡ〜Ｃを選択することにより未読メール数、不在着信数あるいは／及び現在時刻に関する装置状態を選択的に把握することができる。
【００２７】
（４）未読メールや不在着信の存在を単に報知するだけではなく、未読メールや不在着信に関するより詳しい情報、つまり未読メール数や不在着信数を所持者に報知するので、この点においても、従来よりも利便性を向上させることができる。
【００２８】
なお、本発明は上記実施形態に限定されるものではなく、例えば以下のような変形例が考えられる。
（１）上記実施形態では、メール、通話着信及び時刻に関する装置状態として未読メール数、不在着信数あるいは／及び現在時刻を報知するが、装置状態はこれに限定されるものではない。例えばメールの受信時刻や不在着信の着信時刻、あるいは電池の消耗状態等を装置状態として報知するようにしても良い。
【００２９】
（２）上記実施形態では、報知手段としてバイブレータ７を用いたが、報知手段はこれに限定されるものではない。報知手段としては、直接手に持ったり視認することなく装置状態を報知できるものであれば、他の手段、例えば音によって装置状態を報知するスピーカであっても良い。
【００３０】
（３）上記実施形態では、バイブレータ７の振動パターンは、未読メール数、不在着信数あるいは／及び現在時刻を示す長振動、中振動及び短振動の組み合わせからなるが、振動パターンはこれに限定されるものではない。他の振動パターンを用いて未読メール数、不在着信数あるいは／及び現在時刻等の装置状態を報知するようにしても良い。例えば、特定パターンの振動が加えられてからバイブレータ７が作動開始するまでの経過時間によって未読メール数、不在着信数あるいは／及び現在時刻を示すようにしても良い。
【００３１】
（４）上記実施形態では、特定パターン及びその種類つまりパターンＡ〜Ｃを筐体にノック状に叩く振動の回数（２回、３回及び４回）としたが、特定パターン及びその種類はこれに限定されるものではない。例えば筐体に加える特定強度の振動を特定パターンとし、またその振動強度の違いを特定パターンの種類としても良い。なお、１種類の装置状態、（例えば未読メール数のみ）を報知する場合には、特定パターンの種類は当然に１種類で良い。
【００３２】
（５）また、装置状態を示す振動の前後に報知開始を示す開始振動と報知終了を示す終了振動を付加するようにしても良い。これら開始振動及び終了振動は、当然に上記長振動、中振動及び短振動のような装置状態を示す振動とは異なる振動に設定されることにより、装置状態を示す振動との識別を可能にするよう工夫される。
【００３３】
（６）さらに、長振動、中振動及び短振動の組み合わせからなる振動パターンによる報知を所定の時間間隔で繰り返すことにより、装置状態を所持者に確実に把握させるようにしても良い。
（７）振動検出手段は加速度センサ以外に角度センサを用いても良い。角度センサの検出値を微分することによって筐体の角度変化の変化率を取得することができるので、角度センサを振動検出手段として用いることができる。
（８）特定パターンを加えるときには、所持者によって個人差があるので、所持者毎に学習機能を持たせても良い。
【図面の簡単な説明】
【００３４】
【図１】本発明の一実施形態に係わる携帯電話ＴＥの要部機能構成を示すブロック図である。
【図２】本発明の一実施形態に係わる携帯電話ＴＥの要部動作を示すフローチャートである。
【図３】図２におけるステップＳ5の詳細を示すフローチャートである。
【図４】上記携帯電話ＴＥにおけるバイブレータ７の振動パターン（装置状態の報知パターン）を示す模式図である。
【符号の説明】
【００３５】
ＴＥ…携帯電話、１…加速度センサ（振動検出手段）、２…記憶部、３…通信部、４…メール送受信部、５…ＣＰＵ、６…振動パターン生成部、７…バイブレータ（報知手段）
【図１】
2006238141.tif 000003
【図２】
2006238141.tif 000004
【図３】
2006238141.tif 000005
【図４】
2006238141.tif 000006